(57)【特許請求の範囲】
【請求項１】
吹出口（１５）から吹き出される吹出空気の流れをその流れのそばにあってその流れと異なる方向の面に沿った方向へ気体が流れようとする現象であるコアンダ効果を利用して所定の方向へ誘導するコアンダ効果利用モードと、前記コアンダ効果利用モードを利用しない通常吹出モードとを有する空調室内機であって、
前記吹出口（１５）が形成されるケーシング（１１）と、
前記吹出口（１５）の近傍に回動自在に設けられ、前記吹出空気を自己の下面（３２ａ）又は上面（３２ｂ）に沿わせたコアンダ気流にするコアンダ羽根（３２）を備え、
前記下面（３２ａ）は、凸状の下湾曲面を含み、
前記上面（３２ｂ）は、凸状の上湾曲面を含み、
前記通常吹出モードでは、前記コアンダ羽根（３２）は、前記通常吹出モードにおける前記吹出空気の進路である送風路の外側に待機し、
前記コアンダ効果利用モードでは、前記コアンダ羽根（３２）は、その後端部の高さ位置を前記通常吹出モードのときよりも低くして、前記下湾曲面及び前記上湾曲面に沿わせた前記コアンダ気流を生じさせる、
空調室内機（１０）。
【請求項２】
前記ケーシング（１１）は、前記吹出口（１５）を形成する形成壁（１１５）を有し、
前記コアンダ羽根（３２）の利用時に、前記コアンダ羽根（３２）の後端（３２２）と、前記形成壁（１１５）の上壁（１１１）との間に隙間が形成される、
請求項１に記載の空調室内機（１０）。
【請求項３】
暖房運転時、前記コアンダ羽根（３２）の前記後端（３２２）が前記上壁（１１１）より下方に位置する、
請求項２に記載の空調室内機（１０）。
【請求項４】
暖房運転時、前記コアンダ羽根（３２）の前記後端（３２２）が前記上壁（１１１）の前縁よりも前記吹出空気の流れの上流側に位置する、
請求項２に記載の空調室内機（１０）。
【請求項５】
前記コアンダ羽根（３２）の前記下面（３２ａ）と前記上面（３２ｂ）とに挟まれた部分が中空である、
請求項１から請求項４のいずれか１項に記載の空調室内機（１０）。
【請求項６】
前記ケーシング（１１）の前面部には、前記コアンダ羽根（３２）の前記上面（３２ｂ）の形状に沿う収納用凹部（１３０）が設けられている、
請求項１から請求項５のいずれか１項に記載の空調室内機（１０）。
【請求項７】
前記コアンダ羽根（３２）の前記下面（３２ａ）と前記上面（３２ｂ）とに挟まれた部分の体積を可変する膨張収縮機構をさらに備え、
前記上面（３２ｂ）は、圧力によって変形する材質で成形され、
前記下面（３２ａ）が水平面より上向きの前記コアンダ気流を生じさせるとき、前記膨張収縮機構が、前記上面（３２ｂ）を平坦または凹状に変化させる、
請求項５に記載の空調室内機（１０）。
【発明の詳細な説明】
【技術分野】
【０００１】
本発明は、空調室内機に関する。
【背景技術】
【０００２】
従来、上下に回動する風向調整羽根を用いて吹出空気の方向を制御する空調室内機に関する研究が広くなされている。例えば、特許文献１（特開２００４−１２０６０号公報）の第１実施形態に記載の空調室内機は、暖房運転時の下方吹きを行う場合、筐体正面に設けられた可動式の導風板と吹出口に通常備わるフラップとによって、吹出空気を下方に偏向している。
【０００３】
さらに、特開２００４−１２０６０号公報の第２実施形態に記載の空調室内機では、導風板を２重構造として、展開したときに後側導風板が下方に凸の湾曲面となり前側導風板が上に凸の湾曲面となる。それゆえ、吹出空気を容易に下吹きの目標位置へ向けることができる。
【発明の概要】
【発明が解決しようとする課題】
【０００４】
上記特許文献１の第１実施形態では、導風板は運転停止時に筐体正面に収容されるので、筐体正面の意匠に合うように外側へ凸状に湾曲している。この湾曲面は、暖房運転時の下方吹きモードでは、下方に凸の姿勢となり、吹出空気が下方に凸の湾曲面に沿って前方へ進もうとするので、吹出空気を下吹きの目標位置へ向けることは容易ではない。
【０００５】
また、上記特許文献１の第２実施形態では、吹出空気を容易に下吹きの目標位置へ向けることができるが、２重構造の導風板を展開するための構成が複雑となるので、実現性が低い。
【０００６】
本発明の課題は、吹出空気を暖房運転時の下方吹きの目標位置へ容易に偏向することができる空調室内機を提供することにある。
【課題を解決するための手段】
【０００７】
本発明の第１観点に係る空調室内機は、吹出口から吹き出される吹出空気の流れをその流れのそばにあってその流れと異なる方向の面に沿った方向へ気体が流れようとする現象であるコアンダ効果を利用して所定の方向へ誘導するコアンダ効果利用モードと、前記コアンダ効果利用モードを利用しない通常吹出モードとを有する空調室内機であって、ケーシングと、コアンダ羽根とを備えている。ケーシングには、吹出口が形成されている。コアンダ羽根は、吹出口の近傍に回動自在に設けられ、吹出空気を自己の下面又は上面に沿わせたコアンダ気流にする。また、コアンダ羽根の下面は、凸状の下湾曲面を含む。さらに、コアンダ羽根の上面は、凸状の上湾曲面を含む。通常吹出モードでは、コアンダ羽根は、通常吹出モードにおける吹出空気の進路である送風路の外側に待機する。コアンダ効果利用モードでは、コアンダ羽根は、その後端部の高さ位置を通常吹出モードのときよりも低くして、下湾曲面及び上湾曲面に沿わせたコアンダ気流を生じさせる。
【０００８】
この空調室内機では、暖房運転時、コアンダ羽根の先端が下向きにされることによって、吹出空気が上湾曲面に沿った床向きのコアンダ気流になる。床向きのコアンダ気流は、下湾曲面に沿って前方へ進もうとする気流を押さえることができる。
【０００９】
本発明の第２観点に係る空調室内機は、第１観点に係る空調室内機であって、ケーシングが、吹出口を形成する形成壁を有している。コアンダ羽根の利用時に、コアンダ羽根の後端と、形成壁の上壁との間に隙間が形成される。
【００１０】
この空調室内機では、コアンダ羽根の後端と吹出口形成壁の上壁との間に隙間が形成されることによって、吹出空気は、その隙間からコアンダ羽根の上湾曲面に沿うコアンダ気流と、その隙間を通過せずにコアンダ羽根の下湾曲面に沿うコアンダ気流とになる。そして、その隙間を増減するようにコアンダ羽根の姿勢を調整することによって、上湾曲面に沿う床向きコアンダ気流の空気量を増減することもできる。
【００１１】
本発明の第３観点に係る空調室内機は、第２観点に係る空調室内機であって、暖房運転時、コアンダ羽根の後端が上壁より下方に位置する。
【００１２】
この空調室内機では、第２観点に係る空調室内機と同様に、吹出空気は、その隙間からコアンダ羽根の上湾曲面に沿うコアンダ気流と、その隙間を通過せずにコアンダ羽根の下湾曲面に沿うコアンダ気流とになる。そして、その隙間を増減するようにコアンダ羽根の姿勢を調整することによって、上湾曲面に沿う床向きコアンダ気流の空気量を増減することもできる。
【００１３】
本発明の第４観点に係る空調室内機は、第２観点に係る空調室内機であって、暖房運転時、コアンダ羽根の後端が上壁の前縁よりも吹出空気の流れの上流側に位置する。この空調室内機では、第２観点に係る空調室内機と同様に、吹出空気は、その隙間からコアンダ羽根の上湾曲面に沿うコアンダ気流と、その隙間を通過せずにコアンダ羽根の下湾曲面に沿うコアンダ気流とになる。そして、その隙間を増減するようにコアンダ羽根の姿勢を調整することによって、上湾曲面に沿う床向きコアンダ気流の空気量を増減することもできる。
【００１４】
本発明の第５観点に係る空調室内機は、第１観点から第４観点のいずれか１つに係る空調室内機であって、コアンダ羽根の下面と上面とに挟まれた部分が中空である。
【００１５】
この空調室内機では、コアンダ羽根は上下面ともに凸状であり体積増による重量化が懸念されるので、内部を中空構造にすることによって、コアンダ羽根の重量増を抑制することができる。
【００１６】
本発明の第６観点に係る空調室内機は、第１観点から第５観点のいずれか１つに係る空調室内機であって、ケーシングの前面部には、コアンダ羽根の上面の形状に沿う収納用凹部が設けられている。
【００１７】
この空調室内機では、意匠の観点から、運転停止時はコアンダ羽根が本体ケーシングの前面部に収納されることが好ましく、コアンダ羽根の上面形状に沿う収納用凹部が設けられることによって、コアンダ羽根の下面が本体ケーシングの前面部よりも出っ張ることもなく、見栄えがよい。
【００１８】
本発明の第７観点に係る空調室内機は、第５観点に係る空調室内機であって、コアンダ羽根の下面と上面とに挟まれた部分の体積を可変する膨張収縮機構をさらに備えている。上面は、圧力によって変形する材質で成形されている。下面が水平面より上向きのコアンダ気流を生じさせるとき、膨張収縮機構が、上面を平坦または凹状に変化させる。
【００１９】
コアンダ羽根の下面に沿った上向きのコアンダ気流を生じさせているとき、上面が凸状の場合、上面に沿った下向きの気流が上向きのコアンダ気流と干渉することが想定される。しかし、この空調室内機では、膨張収縮機構がコアンダ羽根の上面を平坦または凹状に変化させることによって、上面に沿った下向きの気流が発生せず、上向きのコアンダ気流との干渉も生じない。
【発明の効果】
【００２０】
本発明の第１観点に係る空調室内機では、暖房運転時、コアンダ羽根の先端が下向きにされることによって、吹出空気が上湾曲面に沿った床向きのコアンダ気流になる。床向きのコアンダ気流は、下湾曲面に沿って前方へ進もうとする気流を押さえることができる。
【００２１】
本発明の第２観点から第４観点のいずれか１つに係る空調室内機では、コアンダ羽根の後端と吹出口形成壁の上壁との間に隙間が形成されることによって、吹出空気は、その隙間からコアンダ羽根の上湾曲面に沿うコアンダ気流と、その隙間を通過せずにコアンダ羽根の下湾曲面に沿うコアンダ気流とになる。そして、その隙間を増減するようにコアンダ羽根の姿勢を調整することによって、上湾曲面に沿う床向きコアンダ気流の空気量を増減することもできる。
【００２２】
本発明の第５観点に係る空調室内機では、コアンダ羽根の内部を中空構造にすることによって、コアンダ羽根の重量増を抑制することができる。
【００２３】
本発明の第６観点に係る空調室内機では、意匠の観点から、運転停止時はコアンダ羽根が本体ケーシングの前面部に収納されることが好ましく、コアンダ羽根の上面形状に沿う収納用凹部が設けられることによって、コアンダ羽根の下面が本体ケーシングの前面部よりも出っ張ることもなく、見栄えがよい。
【００２４】
本発明の第７観点に係る空調室内機では、膨張収縮機構がコアンダ羽根の上面を平坦または凹状に変化させることによって、上面に沿った下向きの気流が発生しないので、上向きのコアンダ気流との干渉も生じない。
【図面の簡単な説明】
【００２５】
【図１】本発明の一実施形態に係る運転停止時の空調室内機の断面図。
【図２Ａ】運転時の空調室内機の断面斜視図。
【図２Ｂ】空調室内機の吹出口周辺の断面斜視図。
【図２Ｃ】空調室内機のコアンダ羽根を含む吹出口周辺の断面斜視図。
【図３Ａ】吹出空気が通常前吹き時の風向調整羽根およびコアンダ羽根の側面図。
【図３Ｂ】吹出空気が通常前方下吹き時の風向調整羽根およびコアンダ羽根の側面図。
【図３Ｃ】コアンダ気流前方吹き時の風向調整羽根およびコアンダ羽根の側面図。
【図３Ｄ】コアンダ気流天井吹き時の風向調整羽根およびコアンダ羽根の側面図。
【図３Ｅ】コアンダ気流床吹き時の風向調整羽根およびコアンダ羽根の側面図。
【図４Ａ】吹出空気の方向およびコアンダ気流の方向を示す概念図。
【図４Ｂ】風向調整羽根とコアンダ羽根との開き角度の一例を表す概念図。
【図５Ａ】コアンダ気流前方吹き時のスクロールの終端Ｆの接線とコアンダ羽根とが成す内角と、スクロールの終端Ｆの接線と風向調整羽根とが成す内角との比較図。
【図５Ｂ】コアンダ気流天井吹き時のスクロールの終端Ｆの接線とコアンダ羽根とが成す内角と、スクロールの終端Ｆの接線と風向調整羽根とが成す内角との比較図。
【図６Ａ】コアンダ羽根が第１姿勢をとるときのコアンダ気流の風向を示す空調室内機設置空間の側面図。
【図６Ｂ】コアンダ羽根が第２姿勢をとるときのコアンダ気流の風向を示す空調室内機設置空間の側面図。
【図６Ｃ】コアンダ羽根が第４姿勢をとるときのコアンダ気流の風向を示す空調室内機設置空間の側面図。
【図６Ｄ】コアンダ羽根が第６姿勢をとるときのコアンダ気流の風向を示す空調室内機設置空間の側面図。
【図７Ａ】制御部とリモコンとの関係を示すブロック図。
【図７Ｂ】「コアンダ風向設定」メニューの下位メニューを表した表示部の正面図。
【図８Ａ】コアンダ羽根が第３姿勢のときの風向調整羽根とコアンダ羽根の側面図。
【図８Ｂ】コアンダ羽根が第５姿勢のときの風向調整羽根とコアンダ羽根の側面図。
【図９Ａ】第１変形例に係る空調室内機のコアンダ気流天井吹き時の斜視図。
【図９Ｂ】第１変形例に係る空調室内機のコアンダ気流床吹き時の斜視図。
【図１０Ａ】第１変形例に係る空調室内機のコアンダ気流天井吹き時のコアンダ羽根の断面図。
【図１０Ｂ】第１変形例に係る空調室内機のコアンダ気流床吹き時のコアンダ羽根の断面図。
【図１１】第２変形例に係る空調室内機のコアンダ気流床吹き時の風向調整羽根およびコアンダ羽根の側面図
【発明を実施するための形態】
【００２６】
以下、図面を参照しながら、本発明の実施形態について説明する。なお、以下の実施形態は、本発明の具体例であって、本発明の技術的範囲を限定するものではない。
【００２７】
（１）空調室内機１０の構成
図１は、本発明の一実施形態に係る運転停止時の空調室内機１０の断面図である。また、図２Ａは、運転時の空調室内機１０の断面斜視図である。図１及び図２Ａにおいて、空調室内機１０は壁掛けタイプであり、本体ケーシング１１、室内熱交換器１３、室内ファン１４、底フレーム１６、及び制御部４０が搭載されている。
【００２８】
本体ケーシング１１は、天面部１１ａ、前面パネル１１ｂ、背面板１１ｃ及び下部水平板１１ｄを有し、内部に室内熱交換器１３、室内ファン１４、底フレーム１６、及び制御部４０を収納している。
【００２９】
天面部１１ａは、本体ケーシング１１の上部に位置し、天面部１１ａの前部には、吸込口（図示せず）が設けられている。
【００３０】
前面パネル１１ｂは本体ケーシング１１の前面部を構成しており、吸込口がないフラットな形状を成している。また、前面パネル１１ｂは、その上端が天面部１１ａに回動自在に支持され、ヒンジ式に動作することができる。
【００３１】
室内熱交換器１３及び室内ファン１４は、底フレーム１６に取り付けられている。室内熱交換器１３は、通過する空気との間で熱交換を行う。また、室内熱交換器１３は、側面視において両端が下方に向いて屈曲する逆Ｖ字状の形状を成し、その下方に室内ファン１４が位置する。室内ファン１４は、クロスフローファンであり、室内から取り込んだ空気を、室内熱交換器１３に当てて通過させた後、室内に吹き出す。
【００３２】
本体ケーシング１１の下部には、吹出口１５が設けられている。吹出口１５には、吹出口１５から吹き出される吹出空気の方向を変更する風向調整羽根３１が回動自在に取り付けられている。風向調整羽根３１は、モータ（図示せず）によって駆動され、吹出空気の方向を変更するだけでなく、吹出口１５を開閉することもできる。風向調整羽根３１は、傾斜角が異なる複数の姿勢をとることが可能である。
【００３３】
また、吹出口１５の近傍にはコアンダ羽根３２が設けられている。コアンダ羽根３２は、モータ（図示せず）によって駆動され、前後方向に傾斜した姿勢をとることが可能であり、運転停止時に前面パネル１１ｂに設けられた収容部１３０に収容される。コアンダ羽根３２は、傾斜角が異なる複数の姿勢をとることが可能である。
【００３４】
また、吹出口１５は、吹出流路１８によって本体ケーシング１１の内部と繋がっている。吹出流路１８は、吹出口１５から底フレーム１６のスクロール１７に沿って形成されている。
【００３５】
室内空気は、室内ファン１４の稼動によって吸込口、室内熱交換器１３を経て室内ファン１４に吸い込まれ、室内ファン１４から吹出流路１８を経て吹出口１５から吹き出される。
【００３６】
制御部４０は、本体ケーシング１１を前面パネル１１ｂから視て室内熱交換器１３及び室内ファン１４の右側方に位置しており、室内ファン１４の回転数制御、風向調整羽根３１及びコアンダ羽根３２の動作制御を行う。
【００３７】
また、天面部１１ａと室内熱交換器１３との間にはフィルタ清掃装置７０が配置されており、フィルタに付着した塵埃を自動で除去することができる。
【００３８】
（２）詳細構成
（２−１）前面パネル１１ｂ
図１に示すように、前面パネル１１ｂは本体ケーシング１１の上部前方からなだらかな円弧曲面を描きながら下部水平板１１ｄの前方エッジに向かって延びている。前面パネル１１ｂの下部に本体ケーシング１１の内側に向かって窪んだ領域がある。この領域の窪み深さはコアンダ羽根３２の厚み寸法に合うように設定されており、コアンダ羽根３２が収容される収容部１３０を成している。収容部１３０の表面もなだらかな円弧曲面である。
【００３９】
（２−２）吹出口１５
図１及び図２Ａに示すように、吹出口１５は、本体ケーシング１１の下部に設けられており、横方向（図１紙面と直交する方向）を長辺とする長方形の開口である。吹出口１５の下端は下部水平板１１ｄの前方エッジに近接しており、吹出口１５の下端と上端とを結ぶ仮想面は前方上向きに傾斜している。
【００４０】
図２Ｂは、空調室内機１０の吹出口１５周辺の断面斜視図である。また、図２Ｃは、空調室内機１０のコアンダ羽根３２を含む吹出口１５周辺の断面斜視図である。図２Ｂにおいて、吹出口１５は、形成壁１１５によって形成されている。形成壁１１５は、上壁１１１、下壁１１２、及び左右の側壁１１３，１１４で構成されている。そして、図２Ｃにおいて、コアンダ羽根３２の後端３２２と、形成壁１１５の上壁１１１との間に隙間Ｃが形成されている。
【００４１】
（２−３）スクロール１７
スクロール１７は、室内ファン１４に対峙するように湾曲した隔壁であり、底フレーム１６の一部である。スクロール１７の終端Ｆは、吹出口１５の周縁近傍まで到達している。吹出流路１８を通る空気は、スクロール１７に沿って進み、スクロール１７の終端Ｆの接線方向に送られる。したがって、吹出口１５に風向調整羽根３１がなければ、吹出口１５から吹き出される吹出空気の風向は、スクロール１７の終端Ｆの接線に概ね沿った方向である。
【００４２】
（２−４）垂直風向調整板２０
垂直風向調整板２０は、図１及び図２Ａに示すように、複数の羽根片２０１と、複数の羽根片２０１を連結する連結棒２０３を有している。また、垂直風向調整板２０は、吹出流路１８において、風向調整羽根３１よりも室内ファン１４近傍に配置されている。
【００４３】
複数枚の羽根片２０１は、連結棒２０３が吹出口１５の長手方向に沿って水平往復移動することによって、その長手方向に対して垂直な状態を中心に左右に揺動する。なお、連結棒２０３は、モータ（図示せず）によって水平往復移動する。
【００４４】
（２−５）風向調整羽根３１
風向調整羽根３１は、図１及び図２Ａに示すように、円弧状の部材である。風向調整羽根３１は、凸状の外側湾曲面を含む外側面３１ａと、凹状の内側湾曲面を含む内側面３１ｂを有している。
【００４５】
風向調整羽根３１は、吹出口１５を塞ぐことができる程度の面積を有している。風向調整羽根３１が吹出口１５を閉じた状態において、その外側面３１ａは前面パネル１１ｂの曲面の延長上にあるような外側に凸のなだらかな円弧曲面に仕上げられている。また、風向調整羽根３１の内側面３１ｂ（図２Ａ参照）も、外面にほぼ平行な円弧曲面を成している。
【００４６】
風向調整羽根３１は、下端部に回動軸３１１を有している。回動軸３１１は、吹出口１５の下端近傍で、本体ケーシング１１に固定されているステッピングモータ（図示せず）の回転軸に連結されている。
【００４７】
ここで、説明の便宜上、空調室内機１０を前面パネル１１ｂ側から視たときの空調室内機１０の右側の側面を空調室内機１０の右側面とし、以後、空調室内機１０を右側面から視ることを「空調室内機１０の右側面視」という。
【００４８】
回動軸３１１が空調室内機１０の右側面視において反時計方向に回動することによって、風向調整羽根３１の上端が吹出口１５の上壁１１１側から遠ざかるように動作して吹出口１５を開ける。逆に、回動軸３１１が空調室内機１０の右側面視において時計方向に回動することによって、風向調整羽根３１の上端が吹出口１５の上壁１１１側へ近づくように動作して吹出口１５を閉じる。
【００４９】
風向調整羽根３１が吹出口１５を開けている状態において、吹出口１５から吹き出された吹出空気は、風向調整羽根３１の内側面３１ｂに概ね沿って流れる。すなわち、スクロール１７の終端Ｆの接線方向に概ね沿って吹き出された吹出空気は、その風向が風向調整羽根３１によってやや上向きに変更される。
【００５０】
（２−６）コアンダ羽根３２
コアンダ羽根３２は、図１及び図２Ａに示すように、断面形状が楕円形の中空部材である。コアンダ羽根３２は、凸状の外側湾曲面を含む外側面３２ａと、凸状の内側湾曲面を含む内側面３２ｂを有している。
【００５１】
コアンダ羽根３２は、空調運転が停止している間や後述する通常吹出モードでの運転では収容部１３０に収納されている。コアンダ羽根３２は回動することによって収容部１３０から離れる。コアンダ羽根３２の回動軸３２１は、収容部１３０の下端近傍で且つ本体ケーシング１１の内側の位置（吹出流路１８上壁の上方の位置）に設けられており、コアンダ羽根３２の後端部と回動軸３２１とは所定の間隔を保って連結されている。それゆえ、回動軸３２１が回動してコアンダ羽根３２が収容部１３０から離れるほど、コアンダ羽根３２の下端の高さ位置は低くなるように回転する。また、コアンダ羽根３２が回転して開いたときの傾斜は本体ケーシング１１の前面部の傾斜よりも緩やかである。
【００５２】
本実施形態では、収容部１３０は、送風路の外に設けられており、収容時にコアンダ羽根３２の全体が送風路の外側に収容される。かかる構造に代えて、コアンダ羽根３２の一部のみが送風路の外側に収容され、残りが送風路内（たとえば、送風経路の上壁部）に収容されるようにしてもよい。
【００５３】
また、回動軸３２１が空調室内機１０の右側面視において反時計方向に回動することによって、コアンダ羽根３２の上端および下端ともに円弧を描きながら収容部１３０から離れるが、そのとき、コアンダ羽根３２の上端と吹出口１５より上方の収容部１３０との最短距離は、下端と収容部１３０との最短距離より大きい。すなわち、コアンダ羽根３２は前方に行くにしたがって本体ケーシング１１の前面部から離れるような姿勢に制御される。そして、回動軸３２１が空調室内機１０の右側面視において時計方向に回動することによって、コアンダ羽根３２は収容部１３０に近づき、最終的に収容部１３０に収容される。コアンダ羽根３２の運転状態の姿勢としては、収容部１３０に収納された状態、回転して前方上向きに傾斜した姿勢、さらに回転してほぼ水平な姿勢、さらに回転して前方下向きに傾斜した姿勢がある。
【００５４】
コアンダ羽根３２が収容部１３０に収容された状態で、コアンダ羽根３２の外側面３２ａの外側湾曲面３２ａａは前面パネル１１ｂのなだらかな円弧曲面の延長上にあるような外側に凸のなだらかな円弧曲面に仕上げられている。また、コアンダ羽根３２の内側面３２ｂの内側湾曲面３２ｂｂは、収容部１３０の表面に沿うような円弧曲面に仕上げられている。言い換えれば、収容部１３０は、コアンダ羽根３２の外側面３２ａが本体ケーシング１１の前面部よりも出っ張ることもなく見栄えよくするために、コアンダ羽根３２の内側面３２ｂの形状に沿うように凹状に形成されている。
【００５５】
また、コアンダ羽根３２の長手方向の寸法は、風向調整羽根３１の長手方向の寸法以上となるように設定されている。この理由は風向調整羽根３１で風向調節された吹出空気すべてをコアンダ羽根３２で受けるためであり、その目的はコアンダ羽根３２の側方からの吹出空気がショートサーキットすることを防止することである。
【００５６】
（２−７）フィルタ清掃装置７０
フィルタ清掃装置７０は、少なくともフィルタ７１と、フィルタ駆動ローラー７３と、ブラシ７５と、ダストボックス７７とを含んでいる。フィルタ７１は、フィルタ駆動ローラー７３の回転によって、所定の環状軌道に沿って周回することができる。ブラシ７５は、フィルタ清掃用のブラシであり、フィルタ７１に付着した塵埃を掻き落すため、フィルタ７１を挟んでフィルタ駆動ローラー７３と対向している。ダストボックス７７は、ブラシ７５がフィルタ７１から掻き落した塵埃を溜める。
【００５７】
制御部４０は、空調室内機１０の運転時間をカウントしており、前回のフィルタ清掃運転からの累積運転時間が所定時間（例えば、１８時間）に到達したとき、ブラシ７５を回転させながら、フィルタ７１を所定回数（例えば、１回）だけ周回させる。
【００５８】
その間、ブラシ７５とフィルタ７１とが相対移動するので、ブラシ７５の毛材がフィルタ７１の網目に入り込んで、その網目につまった塵埃を掻き出す。その塵埃は、ブラシ７５が配置されているダストボックス７７内に溜まる。
【００５９】
（３）吹出空気の方向制御
本実施形態の空調室内機は、吹出空気の方向を制御する手段として、風向調整羽根３１のみを回動させて吹出空気の方向を調整する通常吹出モードと、風向調整羽根３１及びコアンダ羽根３２を回動させてコアンダ効果によって吹出空気をコアンダ羽根３２の外側面３２ａ或いは内側面３２ｂに沿わせたコアンダ気流にするコアンダ効果利用モードとを有している。
【００６０】
風向調整羽根３１及びコアンダ羽根３２は、上記各モードにおいて空気の吹出方向ごとに姿勢が変化するので、各姿勢について図３Ａ〜図３Ｅを参照しながら説明する。なお、吹出方向の選択は、ユーザーがリモコン等を介して行なうことができるものとする。また、モードの変更や吹出方向は自動的に変更されるように制御することも可能である。
【００６１】
（３−１）通常吹出モード
通常吹出モードは、風向調整羽根３１のみを回動させて吹出空気の方向を調整するモードであり、「通常前吹き」と「通常前方下吹き」とを含む。
【００６２】
（３−１−１）通常前吹き
図３Ａは、吹出空気が通常前吹き時の風向調整羽根３１及びコアンダ羽根３２の側面図である。図３Ａにおいて、ユーザーが「通常前吹き」を選択したとき、制御部４０は風向調整羽根３１の内側面３１ｂが略水平になる位置まで風向調整羽根３１を回動させる。なお、本願実施形態のように風向調整羽根３１の内側面３１ｂが円弧曲面をなしている場合は、内側湾曲面３１ｂｂの前方端Ｅ１における接線Ｌ１が略水平になるまで風向調整羽根３１を回動させる。その結果、吹出空気は、前吹き状態となる。
【００６３】
（３−１−２）通常前方下吹き
図３Ｂは、吹出空気が通常前方下吹き時の風向調整羽根３１及びコアンダ羽根３２の側面図である。図３Ｂにおいて、ユーザーは吹出方向を「通常前吹き」よりも下方に向けたいとき、「通常前方下吹き」を選択すればよい。
【００６４】
このとき、制御部４０は、風向調整羽根３１の内側湾曲面３１ｂｂの前方端Ｅ１における接線Ｌ１が水平よりも前下がりになるまで風向調整羽根３１を回動させる。その結果、吹出空気は、前方下吹き状態となる。
【００６５】
（３−２）コアンダ効果利用モード
コアンダ（効果）とは、気体や液体の流れのそばに壁があると、流れの方向と壁の方向とが異なっていても、壁面に沿った方向に流れようとする現象である（朝倉書店「法則の辞典」）。コアンダ利用モードは、このコアンダ効果を利用した「コアンダ気流前方吹き」、「コアンダ気流天井吹き」および「コアンダ気流床吹き」を含む。
【００６６】
また、吹出空気の方向およびコアンダ気流の方向については、基準位置の取り方次第で定義の方法が異なるので、以下に一例を示す。但し、それに限定されるものではない。図４Ａは、吹出空気の方向およびコアンダ気流の方向を示す概念図である。図４Ａにおいて、コアンダ羽根３２の外側面３２ａ側にコアンダ効果を生じさせるには、風向調整羽根３１によって変更された吹出空気の方向（Ｄ１）の傾斜がコアンダ羽根３２の姿勢（傾斜）に近くなる必要がある。両者が離れすぎているとコアンダ効果が生じない。そのため、本コアンダ効果利用モードでは、コアンダ羽根３２と風向調整羽根３１とが所定の開き角度以下になる必要があり、両羽根３１，３２がその範囲内を成すようにして、上記の関係が成立するようにしている。これにより、図４Ａに示すように、吹出空気の風向が風向調整羽根３１によってＤ１に変更された後、さらにコアンダ効果によりＤ２に変更される。
【００６７】
また、本実施形態のコアンダ効果利用モードでは、コアンダ羽根３２が風向調整羽根３１の前方（吹出の下流側）かつ上方の位置あるのが好ましい。
【００６８】
また、風向調整羽根３１とコアンダ羽根３２との開き角度についても、基準位置の取り方次第で定義の方法が異なるので、以下に一例を示す。但し、それに限定されるものではない。図４Ｂは、風向調整羽根３１とコアンダ羽根３２との開き角度の一例を表す概念図である。図４Ｂにおいて、風向調整羽根３１の内側面３１ｂの前後端を結ぶ直線と水平線との角度を風向調整羽根３１の傾斜角θ１とし、コアンダ羽根３２の外側面３２ａの前後端を結ぶ直線と水平線との角度をコアンダ羽根３２の傾斜角θ２としたとき、風向調整羽根３１とコアンダ羽根３２との開き角度θ＝θ２−θ１である。なお、θ１及びθ２は絶対値ではなく、図４Ｂ正面視において水平線よりも下方となる場合は負の値である。
【００６９】
「コアンダ気流前方吹き」および「コアンダ気流天井吹き」ともに、風向調整羽根３１およびコアンダ羽根３２は、スクロール１７の終端Ｆの接線とコアンダ羽根３２とが成す内角（図５Ａ及び図５Ｂ参照）が、スクロール１７の終端Ｆの接線と風向調整羽根３１とが成す内角よりも大きい、という条件を満たす姿勢をとるのが好ましい。
【００７０】
図５Ａは、コアンダ気流前方吹き時のスクロール１７の終端Ｆの接線Ｌ０とコアンダ羽根３２の外側湾曲面３２ａａの前方端Ｅ２における接線Ｌ２とが成す内角Ｒ２と、スクロール１７の終端Ｆの接線Ｌ０と風向調整羽根３１の内側湾曲面３１ｂｂの前方端Ｅ１における接線Ｌ１とが成す内角Ｒ１との比較図である。また、図５Ｂは、コアンダ気流天井吹き時のスクロール１７の終端Ｆの接線Ｌ０とコアンダ羽根３２の外側湾曲面３２ａａの前方端Ｅ２における接線Ｌ２とが成す内角Ｒ２と、スクロール１７の終端Ｆの接線Ｌ０と風向調整羽根３１の内側湾曲面３１ｂｂの前方端Ｅ１における接線Ｌ１とが成す内角Ｒ１との比較図である。
【００７１】
図５Ａに示すように、コアンダ効果利用モードにおけるコアンダ羽根３２では、コアンダ羽根３２の外側湾曲面３２ａａの前方端Ｅ２における接線Ｌ２がほぼ水平で、コアンダ羽根３２の前端および後端が吹出口１５の形成壁１１５の上壁１１１よりも下方に位置するとき、コアンダ羽根３２の後端と吹出口１５の形成壁１１５の上壁１１１との隙間が小さいので、コアンダ羽根３２の内側面３２ｂ上を通過する気流の量は少なく、コアンダ気流の水平方向への誘導が阻害される可能性は小さい。
【００７２】
また、図５Ｂに示すように、コアンダ効果利用モードにおけるコアンダ羽根３２では、コアンダ羽根３２の外側湾曲面３２ａａの前方端Ｅ２における接線Ｌ２が水平より前方上向で、吹出口１５よりも外側上方に位置する。その結果、コアンダ気流はより遠方に到達する上に、コアンダ羽根３２の内側面３２ｂ上を通過する強い気流の発生は抑制され、コアンダ気流の上方への誘導が阻害されにくい。
【００７３】
また、コアンダ羽根３２の後端部の高さ位置は運転停止時よりも低くなっているので、上流側でのコアンダ効果によるコアンダ気流が生成し易い。
【００７４】
（３−２−１）コアンダ気流前方吹き
図３Ｃは、コアンダ気流前方吹き時の風向調整羽根３１及びコアンダ羽根３２の側面図である。図３Ｃにおいて、「コアンダ気流前方吹き」が選択されたとき、制御部４０は、風向調整羽根３１の内側湾曲面３１ｂｂの前方端Ｅ１における接線Ｌ１が水平よりも前下がりになるまで風向調整羽根３１を回動させる。
【００７５】
次に、制御部４０は、コアンダ羽根３２の外側面３２ａが略水平になる位置までコアンダ羽根３２を回動させる。なお、本願実施形態のようにコアンダ羽根３２の外側面３２ａが円弧曲面をなしている場合は、外側面３２ａの外側湾曲面３２ａａの前方端Ｅ２における接線Ｌ２が略水平になるまでコアンダ羽根３２を回動させる。つまり、図５Ａに示すように、接線Ｌ０と接線Ｌ２とが成す内角Ｒ２は、接線Ｌ０と接線Ｌ１とが成す内角Ｒ１よりも大きくなる。
【００７６】
風向調整羽根３１で前方下吹きに調整された吹出空気は、コアンダ効果によってコアンダ羽根３２の外側面３２ａに付着した流れとなり、この外側面３２ａに沿ったコアンダ気流に変わる。
【００７７】
したがって、風向調整羽根３１の内側湾曲面３１ｂｂの前方端Ｅ１における接線Ｌ１方向が前方下吹きであっても、コアンダ羽根３２の外側湾曲面３２ａａの前方端Ｅ２における接線Ｌ２方向が水平であるので、吹出空気は、コアンダ効果によってコアンダ羽根３２の外側湾曲面３２ａａの前方端Ｅ２における接線Ｌ２方向、すなわち水平方向に吹き出される。
【００７８】
このように、コアンダ羽根３２が本体ケーシング１１の前面部から離れて傾斜が緩やかになり、吹出空気が前面パネル１１ｂよりも前方でコアンダ効果を受け易くなる。その結果、風向調整羽根３１で風向調節された吹出空気が前方下吹きであっても、コアンダ効果によって水平吹きの空気となる。
【００７９】
（３−２−２）コアンダ気流天井吹き
図３Ｄは、コアンダ気流天井吹き時の風向調整羽根３１及びコアンダ羽根３２の側面図である。図３Ｄにおいて、「コアンダ気流天井吹き」が選択されたとき、制御部４０は風向調整羽根３１の内側湾曲面３１ｂｂの前方端Ｅ１における接線Ｌ１が水平になるまで風向調整羽根３１を回動させる。
【００８０】
次に、制御部４０は、外側面３２ａの外側湾曲面３２ａａの前方端Ｅ２における接線Ｌ２が前方上向きとなるまでコアンダ羽根３２を回動させる。つまり、図５Ｂに示すように、接線Ｌ０と接線Ｌ２とが成す内角Ｒ２は、接線Ｌ０と接線Ｌ１とが成す内角Ｒ１よりも大きくなる。風向調整羽根３１で水平吹きに調整された吹出空気は、コアンダ効果によってコアンダ羽根３２の外側面３２ａに付着した流れとなり、この外側面３２ａに沿ったコアンダ気流に変わる。
【００８１】
したがって、風向調整羽根３１の内側湾曲面３１ｂｂの前方端Ｅ１における接線Ｌ１方向が前方吹きであっても、コアンダ羽根３２の外側湾曲面３２ａａの前方端Ｅ２における接線Ｌ２方向が前方上吹きであるので、吹出空気は、コアンダ効果によってコアンダ羽根３２の外側湾曲面３２ａａの前方端Ｅ２における接線Ｌ２方向、すなわち天井方向に吹き出される。コアンダ羽根３２の先端部は吹出口１５より外側に突出しているので、コアンダ気流はより遠方に到達する。さらに、コアンダ羽根３２の先端部は吹出口１５よりも上方に位置しているので、コアンダ羽根３２の内側面３２ｂ上を通過する強い気流の発生は抑制され、コアンダ気流の上方への誘導が阻害されにくい。
【００８２】
このように、コアンダ羽根３２が本体ケーシング１１の前面部から離れて傾斜が緩やかになり、吹出空気が前面パネル１１ｂよりも前方でコアンダ効果を受け易くなる。その結果、風向調整羽根３１で風向調節された吹出空気が前方吹きであっても、コアンダ効果によって上向きの空気となる。
【００８３】
なお、コアンダ羽根３２の長手方向の寸法は、風向調整羽根３１の長手方向の寸法以上である。それゆえ、風向調整羽根３１で風向調節された吹出空気すべてをコアンダ羽根３２で受けることができ、コアンダ羽根３２の側方から吹出空気がショートサーキットすることが防止されるという効果も奏している。
【００８４】
（３−２−３）コアンダ気流床吹き
図３Ｅは、コアンダ気流床吹き時の風向調整羽根３１及びコアンダ羽根３２の側面図である。図３Ｅにおいて、主に暖房運転時に「コアンダ気流床吹き」が選択されたとき、制御部４０は風向調整羽根３１の内側湾曲面３１ｂｂの前方端Ｅ１における接線Ｌ１が下向きなるまで風向調整羽根３１を回動させる。
【００８５】
次に、制御部４０は、外側面３２ａの外側湾曲面３２ａａの前方端Ｅ２における接線Ｌ２が下向きとなるまでコアンダ羽根３２を回動させる。このとき、コアンダ羽根３２の後端と吹出口１５の形成壁１１５の上壁１１１との間に隙間が形成される。それゆえ、吹出空気は、その隙間からコアンダ羽根３２の内側湾曲面３２ｂｂに沿うコアンダ気流と、その隙間を通過せずにコアンダ羽根３２の外側湾曲面３２ａａに沿うコアンダ気流とになる。
【００８６】
内側湾曲面３２ｂｂに沿うコアンダ気流は、内側湾曲面３２ｂｂの前方端Ｅ２ｕにおける接線Ｌ２ｕの方向に向って進む、床向きの気流である。これに対し、外側湾曲面３２ａａに沿うコアンダ気流は、外側湾曲面３２ａａの前方端Ｅ２における接線Ｌ２が斜め下前方を向いているので、その方向へ進もうとする。
【００８７】
しかしながら、コアンダ気流床吹き時のコアンダ羽根３２の後端と吹出口１５の上壁１１１との隙間は、コアンダ気流前方吹き時、およびコアンダ気流天井吹き時よりも大きいので、内側湾曲面３２ｂｂに沿った床向きのコアンダ気流は、外側湾曲面３２ａａに沿って斜め下前方へ進もうとするコアンダ気流を押さえ込む。その結果、外側湾曲面３２ａａに沿ったコアンダ気流は、内側湾曲面３２ｂｂに沿った床向きのコアンダ気流に合流して、床吹きとなる。
【００８８】
（４）動作
上記のような吹出空気の方向制御を利用した空調室内機の動作について、以下、図面を参照しながら説明する。
【００８９】
（４−１）コアンダ風向設定
（４−１−１）コアンダ羽根３２の第１姿勢
図６Ａは、コアンダ羽根３２が第１姿勢をとるときのコアンダ気流の風向を示す空調室内機設置空間の側面図である。図６Ａにおいて、空調室内機１０は室内側壁の上方に設置されている。コアンダ羽根３２は、収容部１３０に収納されている状態（以後、第１姿勢とよぶ）である。コアンダ羽根３２が第１姿勢のときに風向調整羽根３１の姿勢を水平よりも上向きにすることによって、風向調整羽根３１の内側面３１ｂで風向調整された吹出空気がその内側面３１ｂを離れた後、コアンダ羽根３２の外側面３２ａに引っ張られるように方向を変え、第１コアンダ気流となってコアンダ羽根３２の外側面３２ａおよび前面パネル１１ｂに沿うように流れる。
【００９０】
ここで、ユーザーがコアンダ気流を選択する方法について説明する。図７Ａは、制御部４０とリモコン５０との関係を示すブロック図である。図７Ａにおいて、リモコン５０は赤外線信号を無線で送信する。リモコン５０には、風向を切り換えるための切換手段を有している。具体的には、ユーザーが風向を選択できるように、風向選択メニューを表示する表示部５２と、各風向選択メニューを指定するためのカーソル５２ａを有している。
【００９１】
先ず、ユーザーは、表示部５２に表示されたメニューの中から「コアンダ風向設定」をカーソル５２ａで選択する。なお、リモコン５０によるメニューの選択および確定するための技術は広く公開されているので詳細な説明は省略する。
【００９２】
図７Ｂは、「コアンダ風向設定」メニューの下位メニューを表した表示部５２の正面図である。図７Ｂにおいて、「コアンダ風向設定」メニューの下位メニューには、第１〜第６コアンダ角度が予め準備されており、カーソル５２ａで第１コアンダ角度を指定して確定することによって、コアンダ羽根３２は図６Ａに示す第１姿勢をとり、第１コアンダ角度に応じた第１の向きのコアンダ気流が発生する。
【００９３】
（４−１−２）コアンダ羽根３２の第２姿勢および第３姿勢
次に、図６Ｂは、コアンダ羽根３２が第２姿勢をとるときのコアンダ気流の風向を示す空調室内機設置空間の側面図である。図６Ｂにおけるコアンダ羽根３２の第２姿勢は、図７Ｂにおいてカーソル５２ａで第２コアンダ角度を指定し確定することによって成し得る。コアンダ羽根３２が第２姿勢のときに発生するコアンダ気流は、「（３−２−２）コアンダ気流天井吹き」の段で説明したコアンダ気流に相当する。第２コアンダ角度が選択されたとき、図３Ｄに示すように、制御部４０は風向調整羽根３１の内側湾曲面３１ｂｂの前方端Ｅ１における接線Ｌ１が水平になるまで風向調整羽根３１を回動させ、次に、外側面３２ａの外側湾曲面３２ａａの前方端Ｅ２における接線Ｌ２が前方上向きとなるまでコアンダ羽根３２を回動させる。したがって、風向調整羽根３１の内側湾曲面３１ｂｂの前方端Ｅ１における接線Ｌ１方向が前方吹きであっても、コアンダ羽根３２の外側湾曲面３２ａａの前方端Ｅ２における接線Ｌ２方向が前方上吹きであるので、吹出空気は、コアンダ効果によってコアンダ羽根３２の外側湾曲面３２ａａの前方端Ｅ２における接線Ｌ２方向、すなわち天井方向に吹き出される。
【００９４】
なお、一旦、コアンダ気流が発生すると、風向調整羽根３１を動かさずにコアンダ羽根３２の角度のみを変動させてコアンダ気流の風向を調整することができる。例えば、図８Ａは、コアンダ羽根３２が第３姿勢のときの風向調整羽根３１とコアンダ羽根３２の側面図である。図８Ａにおいて、コアンダ羽根３２の第３姿勢は第２姿勢よりも下向きである。なお、図８Ａでは、比較のために第２姿勢のコアンダ羽根３２を２点鎖線で、第３姿勢のコアンダ羽根３２を実線で描いている。
【００９５】
第２姿勢でコアンダ気流が確実に発生し、且つ、風向調整羽根３１の姿勢が変わらないとすれば、第２姿勢よりも下向きである第３姿勢でコアンダ気流がコアンダ羽根３２の外側面３２ａから剥離しないことは明らかである。このように、コアンダ気流天井吹きを実施したいときは、図７Ｂにおいてカーソル５２ａで第２コアンダ角度、若しくは第３コアンダ角度を選択することによって成し得る。
【００９６】
本実施形態では、コアンダ羽根３２の第２姿勢および第３姿勢は、調和空気を遠方に飛ばしたいときに選択されることを想定している。例えば、吹出口１５から天井までの高さ距離、および吹出口１５からその対面壁までの対面距離がともに大きい場合は、コアンダ羽根３２の姿勢は第２姿勢が好ましい。他方、吹出口１５から天井までの高さ距離は小さいが、吹出口１５からその対面壁までの対面距離が大きい場合などはコアンダ羽根３２の姿勢は第３姿勢が好ましい。このようにユーザーは、リモコン５０を介して室内空間の大きさに応じてコアンダ羽根３２の姿勢を選択することができるので、使い勝手がよい上に、調和空気を空調対象空間に均一に行き渡らせることが可能となる。
【００９７】
（４−１−３）コアンダ羽根３２の第４姿勢および第５姿勢
さらに、図６Ｃは、コアンダ羽根３２が第４姿勢をとるときのコアンダ気流の風向を示す空調室内機設置空間の側面図である。図６Ｃにおけるコアンダ羽根３２の第４姿勢は、図７Ｂにおいてカーソル５２ａで第４コアンダ角度を指定し確定することによって成し得る。コアンダ羽根３２が第４姿勢のときに発生するコアンダ気流は、「（３−２−１）コアンダ気流前方吹き」の段で説明したコアンダ気流に相当する。第４コアンダ角度が選択されたとき、図３Ｃに示すように、制御部４０は、風向調整羽根３１の内側湾曲面３１ｂｂの前方端Ｅ１における接線Ｌ１が水平よりも前下がりになるまで風向調整羽根３１を回動させ、次に、外側面３２ａの外側湾曲面３２ａａの前方端Ｅ２における接線Ｌ２が略水平になる位置までコアンダ羽根３２を回動させる。したがって、風向調整羽根３１の内側湾曲面３１ｂｂの前方端Ｅ１における接線Ｌ１方向が前方下吹きであっても、コアンダ羽根３２の外側湾曲面３２ａａの前方端Ｅ２における接線Ｌ２方向が水平であるので、吹出空気は、コアンダ効果によってコアンダ羽根３２の外側湾曲面３２ａａの前方端Ｅ２における接線Ｌ２方向、すなわち水平方向に吹き出される。
【００９８】
なお、一旦、コアンダ気流が発生すると、風向調整羽根３１を動かさずにコアンダ羽根３２の角度のみを変動させてコアンダ気流の風向を調整することができる。例えば、図８Ｂは、コアンダ羽根３２が第５姿勢のときの風向調整羽根３１とコアンダ羽根３２の側面図である。図８Ｂにおいて、コアンダ羽根３２の第５姿勢は第４姿勢よりも下向きである。なお、図８Ｂでは、比較のために第４姿勢のコアンダ羽根３２を２点鎖線で、第５姿勢のコアンダ羽根３２を実線で描いている。
【００９９】
第４姿勢でコアンダ気流が確実に発生し、且つ、風向調整羽根３１の姿勢が変わらないとすれば、第４姿勢よりも下向きである第５姿勢でコアンダ気流がコアンダ羽根３２の外側面３２ａから剥離しないことは明らかである。このように、コアンダ気流前方吹きを実施したいときは、図７Ｂにおいてカーソル５２ａで第４コアンダ角度、若しくは第５コアンダ角度を選択することによって成し得る。
【０１００】
なお、上記の説明で明らかなように、コアンダ羽根３２の第１姿勢、第２姿勢および第４姿勢それぞれに対して風向調整羽根３１の姿勢が異なる。言い換えると、コアンダ羽根３２によるコアンダ気流は、風向調整羽根３１の姿勢とコアンダ羽根３２の姿勢との組み合わせによって如何なる方向にも仕向けることができる。
【０１０１】
（４−１−４）コアンダ羽根３２の第６姿勢
さらに、図６Ｄは、コアンダ羽根３２が第６姿勢をとるときのコアンダ気流の風向を示す空調室内機設置空間の側面図である。図６Ｄにおけるコアンダ羽根３２の第６姿勢は、図７Ｂにおいてカーソル５２ａで第６コアンダ角度を指定し確定することによって成し得る。
【０１０２】
コアンダ羽根３２が第６姿勢のときに発生するコアンダ気流は、「（３−２−３）コアンダ気流床吹き」の段で説明したコアンダ気流に相当する。第６コアンダ角度が選択されたとき、図３Ｅに示すように、制御部４０は、風向調整羽根３１の内側湾曲面３１ｂｂの前方端Ｅ１における接線Ｌ１が下向きになるまで風向調整羽根３１を回動させ、次に、外側面３２ａの外側湾曲面３２ａａの前方端Ｅ２における接線Ｌ２が下向きになる位置までコアンダ羽根３２を回動させる。したがって、風向調整羽根３１の内側湾曲面３１ｂｂの前方端Ｅ１における接線Ｌ１方向、及びコアンダ羽根３２の外側湾曲面３２ａａの前方端Ｅ２における接線Ｌ２方向が共に下向きであるので、コアンダ羽根３２と風向調整羽根３１との間を通る吹出空気は、コアンダ効果によってコアンダ羽根３２の外側湾曲面３２ａａの前方端Ｅ２における接線Ｌ２方向に吹き出される。
【０１０３】
他方、アンダ羽根３２の後端と吹出口１５の形成壁１１５の上壁１１１との隙間を通ってコアンダ羽根３２の内側湾曲面３２ｂｂに沿うコアンダ気流は、内側湾曲面３２ｂｂの前方端Ｅ２ｕにおける接線Ｌ２ｕの方向に向って進む、床向きの気流である。
【０１０４】
内側湾曲面３２ｂｂに沿った床向きのコアンダ気流は、外側湾曲面３２ａａに沿って斜め下前方へ進もうとするコアンダ気流を押さえ込むので、外側湾曲面３２ａａに沿ったコアンダ気流は、内側湾曲面３２ｂｂに沿った床向きのコアンダ気流に合流して床吹きとなる。
【０１０５】
（５）特徴
（５−１）
空調室内機１０では、コアンダ羽根３２の外側面３２ａは、凸状の外側湾曲面３２ａａを含み、外側湾曲面３２ａａに沿わせたコアンダ気流を生じさせる。また、コアンダ羽根３２の内側面３２ｂは、凸状の内側湾曲面３２ｂｂを含み、内側湾曲面３２ｂｂに沿わせたコアンダ気流を生じさせる。暖房運転時には、コアンダ羽根３２の先端が下向きにされることによって、吹出空気が内側湾曲面３２ｂｂに沿った床向きのコアンダ気流になる。また、床向きのコアンダ気流は、外側湾曲面３２ａａに沿って前方へ進もうとする気流を押さえることができる。
【０１０６】
（５−２）
本体ケーシング１１が、吹出口１５を形成する形成壁１１５を有している。コアンダ羽根３２の利用時に、コアンダ羽根３２の後端３２２が形成壁１１５の上壁１１１より下方に位置するようにコアンダ羽根３２の姿勢が調整される。その結果、コアンダ羽根３２の後端３２２と、形成壁１１５の上壁１１１との間に隙間Ｃが形成される。吹出空気は、隙間Ｃからコアンダ羽根３２の内側湾曲面３２ｂｂに沿う床向きコアンダ気流と、その隙間Ｃを通過せずにコアンダ羽根３２の外側湾曲面３２ａａに沿うコアンダ気流とになる。隙間Ｃを増減するようにコアンダ羽根３２の姿勢を調整することによって、内側湾曲面３２ｂｂに沿う床向きコアンダ気流の空気量を増減することもできる。
【０１０７】
（５−３）
コアンダ羽根３２の外側面３２ａと内側面３２ｂとに挟まれた部分は中空であり、コアンダ羽根３２の重量増が抑制されている。
【０１０８】
（５−４）
本体ケーシング１１の前面部には、コアンダ羽根３２の内側面３２ｂの形状に沿う収容部１３０が設けられている。運転停止時はコアンダ羽根３２が本体ケーシング１１の収容部１３０に収納されるので、コアンダ羽根３２の外側面３２ａが本体ケーシング１１の前面部よりも出っ張ることもなく、見栄えがよい。
【０１０９】
（６）変形例
（６−１）第１変刑例
図９Ａは、第１変形例に係る空調室内機１０のコアンダ気流天井吹き時の斜視図である。図９Ｂは、第１変形例に係る空調室内機１０のコアンダ気流床吹き時の斜視図である。図９Ａ及び図９Ｂともに、空調室内機１０のコアンダ羽根３２を除いた構造は、上記実施形態と同じである。
【０１１０】
図９Ａにおいて、天井吹き姿勢のコアンダ羽根３２は、外側面３２ａが凸状、内側面３２ｂが凹状を成す円弧状の部材である。したがって、コアンダ羽根３２の外側面３２ａ上を通るコアンダ気流は前方端Ｅ２における接線Ｌ２方向となる。他方、コアンダ羽根３２の内側面３２ｂ上を通るコアンダ気流は前方端Ｅ２ｕにおける接線Ｌ２ｕ方向となる。接線Ｌ２ｕ方向の気流は、接線Ｌ２方向の気流に比べて流量も小さく、且つその方向も接線Ｌ２方向に近いので両気流が互いに激しく干渉することはない。
【０１１１】
図９Ｂにおいて、床吹き姿勢のコアンダ羽根３２は、外側面３２ａおよび内側面３２ｂがともに凸状の断面楕円形の部材に変形する。したがって、コアンダ羽根３２の内側面３２ｂ上を通るコアンダ気流は前方端Ｅ２ｕにおける接線Ｌ２ｕ方向に向って進む、床向きのコアンダ気流である。接線Ｌ２ｕ方向のコアンダ気流は、外側面３２ａに沿って斜め下前方へ進もうとするコアンダ気流を押さえ込むので、外側面３２ａに沿ったコアンダ気流も、接線Ｌ２ｕ方向のコアンダ気流に合流して床吹きとなる。
【０１１２】
次に、上記変形例のコアンダ羽根３２の変形の仕組みについて説明する。図１０Ａは、第１変形例に係る空調室内機１０のコアンダ気流天井吹き時のコアンダ羽根３２の断面図である。また、図１０Ｂは、第１変形例に係る空調室内機１０のコアンダ気流床吹き時のコアンダ羽根３２の断面図である。
【０１１３】
図１０Ａにおいて、コアンダ羽根３２はエラストマ製のチューブであり、外観は円弧状に加工され、内部には円弧状の空間３４０が形成されている。コアンダ羽根３２の外側面３２ａを形成する外側面形成板部３２３には円弧板３３０が内蔵されている。円弧板３３０は、金属または、剛性が強く耐熱性が高いプラスチックで成形されており、コアンダ羽根３２の成形時にインサート成形によってコアンダ羽根３２の内部に収納される。
【０１１４】
図１０Ｂにおいて、コアンダ羽根３２の空間３４０に空気を注入することによって、コアンダ羽根３２の内側面３２ｂを形成する内側面形成板部３２４が凸状に張り出し、コアンダ羽根３２の床吹き時の形状に変化する。
【０１１５】
空間３４０に空気注入する際、外側面形成板部３２３及び内側面形成板部３２４の双方に圧力が作用するが、外側面形成板部３２３には円弧板３３０が入っているので、変形することはない。
【０１１６】
また、空間３４０への空気は、本体ケーシング１１内に配置された小型エアポンプ（図示せず）によって注入孔３５０からに注入される。注入孔３５０と小型エアポンプとはエアチューブ３６０によって接続されている。
【０１１７】
なお、コアンダ気流天井吹き時のコアンダ羽根３２の内側面３２ｂは必ずしも凹状である必要はなく、平坦であってもよい。
【０１１８】
以上のように、第１変形例に係る空調室内機１０では、コアンダ羽根３２の空間３４０の体積を可変する膨張収縮機構として小型エアポンプを備え、コアンダ羽根３２をコアンダ気流床吹き時の姿勢に変更する際に、小型エアポンプがコアンダ羽根３２の内側面３２ｂを凸状に変化させる。
【０１１９】
また、コアンダ羽根３２をコアンダ気流天井吹き時の姿勢に変更する際には、小型エアポンプがコアンダ羽根３２の内側面３２ｂを平坦または凹状に変化させる。
【０１２０】
その結果、コアンダ気流床吹き時には内側面３２ｂに沿ったコアンダ気流が、外側面３２ａに沿ったコアンダ気流を押さえ込んで床吹きとなる。他方、コアンダ気流天井吹き時には内側面３２ｂに沿った下向きの気流が発生せず、外側面３２ａに沿った上向きのコアンダ気流との干渉を生じさせない。
【０１２１】
（６−２）第２変刑例
上記実施形態および第１変形例では、暖房運転中、コアンダ気流床吹き時のコアンダ羽根３２の姿勢は、図３Ｅに示すように、コアンダ羽根３２の後端３２２が上壁１１１より下方に位置するように調整している。しかし、吹出空気を上流側でコアンダ羽根３２に付着させるために、コアンダ羽根３２の後端３２２をさらに上流側へくい込ませてもよい。
【０１２２】
図１１は、第２変形例に係る空調室内機１０のコアンダ気流床吹き時の風向調整羽根３１およびコアンダ羽根３２の側面図である。図１１において、コアンダ羽根３２の後端３２２は、上壁１１１の前縁よりも吹出空気の流れの上流側に位置する。これによって、コアンダ羽根３２の後端３２２と吹出口１５の上壁１１１との間に安定した隙間が形成される。
【０１２３】
吹出空気は、その隙間からコアンダ羽根３２の内側湾曲面３２ｂｂに沿うコアンダ気流と、その隙間を通過せずにコアンダ羽根３２の外側湾曲面３２ａａに沿うコアンダ気流とになる。なお、その隙間を増減するようにコアンダ羽根３２の姿勢を調整することによって、内側湾曲面３２ｂｂに沿う床向きコアンダ気流の空気量を増減することもできる。
【産業上の利用可能性】
【０１２４】
本発明は、壁掛け式空調室内機に有用である。
【符号の説明】
【０１２５】
１０  空調室内機
１１ケーシング
１５  吹出口
３２  コアンダ羽根
３２ａ  外側面（下面）
３２ｂ  内側面（上面）
１１１  上壁
１１５  形成壁
１３０  収納部（収納用凹部）
３２２  後端
【先行技術文献】
【特許文献】
【０１２６】
【特許文献１】特開２００４−１２０６０号公報
【図１】
0005772589.tif 000002
【図２Ａ】
0005772589.tif 000003
【図２Ｂ】
0005772589.tif 000004
【図２Ｃ】
0005772589.tif 000005
【図３Ａ】
0005772589.tif 000006
【図３Ｂ】
0005772589.tif 000007
【図３Ｃ】
0005772589.tif 000008
【図３Ｄ】
0005772589.tif 000009
【図３Ｅ】
0005772589.tif 000010
【図４Ａ】
0005772589.tif 000011
【図４Ｂ】
0005772589.tif 000012
【図５Ａ】
0005772589.tif 000013
【図５Ｂ】
0005772589.tif 000014
【図６Ａ】
0005772589.tif 000015
【図６Ｂ】
0005772589.tif 000016
【図６Ｃ】
0005772589.tif 000017
【図６Ｄ】
0005772589.tif 000018
【図７Ａ】
0005772589.tif 000019
【図７Ｂ】
0005772589.tif 000020
【図８Ａ】
0005772589.tif 000021
【図８Ｂ】
0005772589.tif 000022
【図９Ａ】
0005772589.tif 000023
【図９Ｂ】
0005772589.tif 000024
【図１０Ａ】
0005772589.tif 000025
【図１０Ｂ】
0005772589.tif 000026
【図１１】
0005772589.tif 000027